(57)【要約】【課題】本発明の目的は、引出し線の余長部分を抑えてワイヤハーネス（電線束）を布線することができる布線治具を提供することにある。【解決手段】布線治具３において、ワイヤーハーネス１（電線束）に接続される電気接続箱２は、電気部品を内蔵する箱本体２１と、電気部品に電気的に接続される複数の接続端子２３１が配列された端子配列面２３と、を有し、ワイヤーハーネス１の幹線１１から引き出された複数の引出し線１３が複数の接続端子２３１に接続されるものであって、布線板３１上に所定の布線経路に沿って配置されてワイヤーハーネス１を布線経路に沿った形状に支持する複数の電線支持部３２と、布線板３１上に布線経路に隣接して設けられ、電線支持部３２に支持されているワイヤーハーネス１の幹線１１に端子配列面２３を向けた状態に箱本体２１を傾けた姿勢で保持する保持部３３と、を備えたことを特徴とする。【選択図】図２
2015185322.tif 000002
【特許請求の範囲】
【請求項１】
複数の電線が束ねられた電線束を布線する布線板を備えた布線治具において、
前記電線束に接続される電気接続箱は、電気部品を内蔵する箱本体と、前記電気部品に電気的に接続される複数の接続端子が配列された端子配列面と、を有し、前記電線束から引き出された複数の引出し線が前記複数の接続端子に接続されるものであって、
前記布線板上に所定の布線経路に沿って配置されて前記電線束を該布線経路に沿った形状に支持する複数の電線支持部と、
前記布線板上に前記布線経路に隣接して設けられ、前記電線支持部に支持されている前記電線束に前記端子配列面を向けた状態に前記箱本体を傾けた姿勢で保持する保持部と、を備えたことを特徴とする布線治具。
【請求項２】
前記保持部は、前記端子配列面と直交する方向に沿った前記箱本体の投影範囲に、前記電線束の少なくとも一部が重なる位置で前記箱本体を保持するものであることを特徴とする請求項１記載の布線治具。
【請求項３】
前記布線板が、布線を行う作業者に向かって傾いて設けられ、
前記保持部は、前記電線束よりも前記作業者に近い位置に設けられ、前記端子配列面が略水平面となるように前記箱本体を保持するものであることを特徴とする請求項１又は２記載の布線治具。
【発明の詳細な説明】
【技術分野】
【０００１】
本発明は、ワイヤハーネス（電線束）の製造に当たって、所定の布線経路に沿った電線束の布線に用いられる布線治具に関する。
【背景技術】
【０００２】
移動体としての車両には、多種多様な電子機器が搭載されている。これらの電子機器は、互いの間で電力や制御信号などを伝えるためにワイヤハーネスによって接続されている。ワイヤハーネスは、複数の電線が束ねられた電線束と、この電線束の端末に取り付けられるコネクタ等とを備えている。また、車両の多くには、リレーやヒューズ、ヒュージブルリンク等の電気部品を内蔵する電気接続箱が搭載されている。このような電気接続箱は、内蔵する電気部品と外部機器とを上記のワイヤハーネスを介して電気的に接続する接続端子を備えたものが一般的である。
【０００３】
電気接続箱の中には、ワイヤハーネスが内部を通過する構造となっているものがある（例えば、特許文献１参照）。電気接続箱の内部には上記の接続端子が設けられ、ワイヤハーネスから引き出された引出し線がこの接続端子に接続される。
【０００４】
ここで、多くの場合、車両へのワイヤハーネスの取付けは、ワイヤハーネスを予め車両内での配線形態に配索しておき、その配索済みのワイヤハーネスを車両に取り付けることで行われる。そして、このような配線形態のワイヤハーネスの製造に、例えば以下に一例を説明するような布線治具が用いられ、その配索時に、上記のような電気接続箱の接続も併せて行われることがある。
【０００５】
図４は、電気接続箱の内部を通るワイヤハーネスの一例を示す図であり、図５は、このようなワイヤハーネスの製造に用いられる布線治具の一例を示す図である。図４に示されているワイヤハーネス５は、幹線５１から複数の枝線５２が枝分かれした形態に束ねられて配索された電線束となっている。そして、ワイヤハーネス５の幹線５１が、電気接続箱６の内部を通っている。尚、ここでは特定しないが、このような電気接続箱としては、例えば、複数のヒューズを内蔵し、それらのヒューズをワイヤハーネスの引出し線に接続するヒューズボックス等が挙げられる。
【０００６】
電気接続箱６は、図５に示されているように、開口部６１１を有する箱本体６１を備えている。箱本体６１には、ヒューズ等の電気部品が内蔵されており、この電気部品に電気的に接続されるとともに開口部６１１から露出した複数の接続端子６３が設けられている。これら複数の接続端子６３には、ワイヤハーネス５の幹線５１から引き出された複数の引出し線５３の端部が接続される。そして、電気接続箱６は、その接続後に箱本体６１の開口部６１１に設置された幹線５１を複数の引出し線５３とともに覆うカバー６２が被せられた構造となっている。
【０００７】
図５に示されている布線治具７は、布線板７１と、布線板７１上に所定の布線経路に沿って配置されてワイヤハーネス５をその布線経路に沿った形状に支持する複数の電線支持部７２と、を備えている。そして、布線治具７は、上記の箱本体６１を保持する、布線板７１上に布線経路に隣接して設けられた保持部７３を備えている。ワイヤハーネス５の製造に当たって、作業者は、布線板７１の脇に立ち、ワイヤハーネス５を電線支持部７２に支持させて布線を行い、さらに、幹線５１から引き出した引出し線５３を接続端子６３に接続する。その後、布線の終わったワイヤハーネス５の全体または一部を電線支持部７２から外し、開口部６１１に幹線５１を設置し、箱本体６１にカバー６２を被せる。
【０００８】
図６は、引出し線の接続後、箱本体にカバーが被せられる様子を示す図である。図６に示されているように、ワイヤハーネス５の幹線５１は開口部６１１を横切る形に設置される。そして、カバー６２が、この幹線５１を複数の引出し線５３とともに覆って箱本体６１に被せられる。
【先行技術文献】
【特許文献】
【０００９】
【特許文献１】特開２０１２−４４８０２号公報
【発明の概要】
【発明が解決しようとする課題】
【００１０】
ところで、接続端子６３への引出し線５３の接続が、図５に示されているように、箱本体６１が布線経路に隣接して置かれた状態で行われることから次のような問題が生じることがある。
【００１１】
図７は、引出し線の接続後に箱本体にカバーが被せられる際に生じる問題について示す模式図である。図７（ａ）には、幹線５１が箱本体６１の開口部６１１に設置される前の状態が示されており、図７（ｂ）には、幹線５１が開口部６１１に設置された状態が示されている。上述したように接続端子６３への引出し線５３の接続は、箱本体６１が布線経路に隣接して置かれた状態、即ち、幹線５１が、接続端子６３から離れた状態で行われる。引出し線５３は、このように離れた位置にある接続端子６３に届くように、その長さに余裕を持たされる。その結果、幹線５１が開口部６１１に設置されたときには、引出し線５３に余長部分５３ａが生じる。この余長部分５３ａは、ワイヤハーネス５のコスト高に繋がるとともに、カバー６２を箱本体６１に被せる作業の邪魔となり作業性を低下させてしまう。また、カバー６２や箱本体６１のサイズを余長部分５３ａを収納できるサイズとする必要があり、電気接続箱６の大型化を招くという問題もある。
【００１２】
本発明の目的は、引出し線の余長部分を抑えてワイヤハーネス（電線束）を布線することができる布線治具を提供することにある。
【課題を解決するための手段】
【００１３】
上記目的を達成する請求項１に記載の発明は、複数の電線が束ねられた電線束を布線する布線板を備えた布線治具において、前記電線束に接続される電気接続箱は、電気部品を内蔵する箱本体と、前記電気部品に電気的に接続される複数の接続端子が配列された端子配列面と、を有し、前記電線束から引き出された複数の引出し線が前記複数の接続端子に接続されるものであって、前記布線板上に所定の布線経路に沿って配置されて前記電線束を該布線経路に沿った形状に支持する複数の電線支持部と、前記布線板上に前記布線経路に隣接して設けられ、前記電線支持部に支持されている前記電線束に前記端子配列面を向けた状態に前記箱本体を傾けた姿勢で保持する保持部と、を備えたことを特徴とする布線治具である。
【００１４】
請求項２に記載の発明は、請求項１に記載の布線治具において、前記保持部は、前記端子配列面と直交する方向に沿った前記箱本体の投影範囲に、前記電線束の少なくとも一部が重なる位置で前記箱本体を保持するものであることを特徴とする。
【００１５】
請求項３に記載の発明は、請求項１又は２記載の布線治具において、前記布線板が、布線を行う作業者に向かって傾いて設けられ、前記保持部は、前記電線束よりも前記作業者に近い位置に設けられ、前記端子配列面が略水平面となるように前記箱本体を保持するものであることを特徴とする。
【発明の効果】
【００１６】
請求項１に記載の発明によれば、保持部が、箱本体を、電線支持部に支持されている電線束に端子配列面を向けた状態に傾けた姿勢で保持する。このため、電線束と接続端子との距離が縮まり、その分、引出し線の余長部分が抑えられる。その結果、余長部分に起因するコスト高が抑えられるとともに、箱本体にカバーを被せる場合には、作業性の低下が抑えられる。さらには、余長部分が抑えられる分、電気接続箱の小型化を図ることができる。また、請求項１に記載の発明の布線治具は、例えば図５に示されているような従来の布線治具において、箱本体を上記のように傾けて保持すれば実現できるので、従来の布線治具がほぼ利用でき、布線治具自体のコストも抑えられることとなる。
【００１７】
請求項２に記載の発明によれば、保持部は、端子配列面と直交する方向に沿った箱本体の投影範囲に、電線束の少なくとも一部が重なる位置で箱本体を保持する。このため、電線束がこのような投影範囲から外れた位置に保持される場合と比較して、電線束と接続端子との距離が一層縮まり、延いては、引出し線の余長部分が一層抑えられることとなる。
【００１８】
請求項３に記載の発明によれば、布線板が作業者に向かって傾いて設けられ、保持部が電線束よりも作業者に近い位置に設けられ、端子配列面が略水平面となる。このため、作業者による引出し線の接続作業は、略水平な端子配列面に向かって、作業者から見て布線板の奥側から手前に引出し線を延ばして接続する作業となる。このような作業は、例えば布線板が水平で端子配列面が作業者から見て傾いていたり、保持部が電線束よりも作業者から遠い位置に設けられていたりするときの作業に比べて作業性が向上したものとなる。
【図面の簡単な説明】
【００１９】
【図１】本発明の一実施形態としての布線治具を用いて製造されるワイヤハーネス（電線束）を示す図である。
【図２】本発明の一実施形態としての布線治具を示す図である。
【図３】引出し線の接続後、箱本体にカバーが被せられる様子を示す図である。
【図４】電気接続箱の内部を通るワイヤハーネスの一例を示す図を示す図である。
【図５】図４に示されているワイヤハーネスの製造に用いられる布線治具の一例を示す図である。
【図６】引出し線の接続後、箱本体にカバーが被せられる様子を示す図である。
【図７】引出し線の接続後に箱本体にカバーが被せられる際に生じる問題について示す模式図である。
【発明を実施するための形態】
【００２０】
本発明の実施形態にかかる布線治具を、図１〜図３を参照して説明する。まず、この布線治具を用いて製造されるワイヤハーネス１（電線束）は、図１に示されているように、幹線１１から複数の枝線１２が枝分かれした形態に束ねられて配索されている。そして、ワイヤハーネス１の幹線１１が、電気接続箱２の内部を通っている。ここで、本実施形態では、電気接続箱２は、複数のヒューズを内蔵し、それらのヒューズをワイヤハーネスの引出し線に接続するヒューズボックスである。
【００２１】
電気接続箱２は、図２に示されているように、開口部２１１を有する箱本体２１を備えている。箱本体２１には、ヒューズ等の電気部品が内蔵されており、この電気部品に電気的に接続される複数の接続端子２３１が配列された端子配列面２３が設けられている。ワイヤハーネス１の幹線１１から引き出された複数の引出し線１３が開口部２１１から複数の接続端子２３１に接続される。この箱本体２１には、開口部２１１を覆うカバー２２が被せられる。
【００２２】
図２に示されている布線治具３は、布線板３１と、布線板３１上に所定の布線経路に沿って配置されてワイヤハーネス１をその布線経路に沿った形状に支持する複数の電線支持部３２と、を備えている。そして、布線治具３は、上記の箱本体２１を保持する、布線板３１上に布線経路に隣接して設けられた保持部３３を備えている。図２（ａ）には、布線治具３の斜視図が、布線作業を行う作業者Ｓとともに示されており、図２（ｂ）には、布線治具３における保持部３３の周辺を、図２（ａ）中の矢印Ａ方向から見た側面図が作業者Ｓとともに示されている。
【００２３】
ワイヤハーネス１の製造に当たって、作業者Ｓは、布線板３１の脇に立ち、ワイヤハーネス１を電線支持部３２に支持させて布線を行い、さらに、ワイヤハーネス１の幹線１１から引き出した引出し線１３を接続端子２３１に接続する。その後、布線の終わったワイヤハーネス１の幹線１１の全体または一部を電線支持部３２から外し、図３に示されているように、箱本体２１の開口部２１１に設置し、その箱本体２１にカバー２２を被せる。
【００２４】
ここで、本実施形態の布線治具３では、保持部３３が、電気接続箱２の箱本体２１を、電線支持部３２に支持されている幹線１１に端子配列面２３を向けた状態に傾けた姿勢で保持するものとなっている。具体的には、保持部３３は、図２に示されているように側面が略直角台形となったブロックの斜面に、箱本体２１が嵌め込まれる凹みが設けられたものとなっている。また、布線板３１が、作業者Ｓに向かって傾いており、保持部３３における上記の斜面の傾斜角度は、作業者Ｓから見てその斜面が略水平面となる角度となっている。
【００２５】
また、保持部３３は、図２（ｂ）に示されているように、端子配列面２３と直交する方向に沿った箱本体２１の投影範囲２１ａに、幹線１１の少なくとも一部が重なる位置で箱本体２１を保持するものとなっている。
【００２６】
さらに、本実施形態では、箱本体２１は、保持部３３の上記の斜面と端子配列面２３とが略平行となるようにこの保持部３３に保持される。その結果、端子配列面２３が、作業者Ｓから見て略水平面となるように、箱本体２１が保持部３３に保持されることとなっている。
【００２７】
本実施形態の布線治具３によれば、保持部３３が、電気接続箱２の箱本体２１を、電線支持部３２に支持されている幹線１１に接続端子２３１を向けて状態に傾けた姿勢で保持する。このため、幹線１１と接続端子２３１との距離が縮まり、図３に示されているように、その分、引出し線１３の余長部分が抑えられる。その結果、余長部分に起因するコスト高が抑えられるとともに、カバー２２を箱本体２１に被せる際の作業性の低下も抑えられる。さらには、余長部分が抑えられる分、電気接続箱２の小型化を図ることができる。また、本実施形態の布線治具３は、例えば図５に示されているような従来の布線治具において、電気接続箱を上記のように傾けて保持すれば実現できるので、従来の布線治具がほぼ利用でき、布線治具３自体のコストも抑えられることとなる。
【００２８】
また、本実施形態の布線治具３では、箱本体２１の上記の投影範囲２１ａに幹線１１の少なくとも一部が重なるように箱本体２１が保持される。このため、幹線１１が投影範囲２１ａから外れる位置に箱本体２１が保持される場合と比較して、幹線１１と接続端子２３１との距離が一層縮まり、延いては、引出し線１３の余長部分が一層抑えられることとなる。
【００２９】
さらに、本実施形態の布線治具３では、布線板３１が作業者Ｓに向かって傾いて設けられ、保持部３３が幹線１１よりも作業者Ｓに近い位置に設けられ、端子配列面２３が略水平面となる。このため、作業者Ｓによる引出し線１３の接続作業は、略水平な端子配列面２３に向かって、作業者Ｓから見て布線板３１の奥側から手前に引出し線１３を延ばして接続する作業となる。このような作業は、例えば布線板３１が水平で端子配列面２３が作業者Ｓから見て傾いていたり、保持部３３が幹線１１よりも作業者Ｓから遠い位置に設けられていたりするときの作業に比べて作業性が向上したものとなる。
【００３０】
尚、前述した実施形態は本発明の代表的な形態を示したに過ぎず、本発明は、実施形態に限定されるものではない。即ち、本発明の骨子を逸脱しない範囲で種々変形して実施することができる。
【００３１】
例えば、本実施形態では、本発明にいう電気接続箱の一例として、ヒューズボックスとしての電気接続箱２が例示されているが、本発明にいう電気接続箱はこれに限るものではなく、例えば、リレーやヒュージブルリンク等の電気部品を内蔵するものであってもよい。また、その形状も本実施形態で例示されているような矩形状の箱に限るものではなく、任意の形状であってよい。
【００３２】
また、本実施形態では、本発明にいう電気接続箱の一例として、箱本体２１に端子配列面２３が１つ設けられた電気接続箱２が例示されているが、本発明にいう電気接続箱はこれに限るものではない。本発明にいう電気接続箱は、例えば、箱本体の内部が複数の区画に区切られており、各区画に端子配列面が設けられたもの等であってもよい。
【００３３】
また、本実施形態では、本発明にいう保持部の一例として、側面が略直角台形となったブロック状の保持部３３が例示されているが、本発明にいう保持部はこれに限るものではない。本発明にいう保持部は、電気接続箱を、電線支持部に支持されている電線束に接続端子を向けて傾けた姿勢で保持するものであれば、その具体的な形状を問うものではない。
【００３４】
また、本実施形態では、本発明にいう電気接続箱の一例として、箱本体２１に１つのカバー２２が被せられてなる電気接続箱２が例示されている。しかしながら、本発明にいう電気接続箱はこれに限るものではなく、箱本体を挟むアッパーカバーとロアカバーとの２つのカバーが設けられたものであってもよく、あるいは、カバーが設けられておらず、引出し線が露出したもの等であってもよい。
【符号の説明】
【００３５】
１      ワイヤハーネス（電線束）
２      電気接続箱
３      布線治具
１１    幹線
１３    引出し線
２１    箱本体
２３    端子配列面
３１    布線板
３２    電線支持部
３３    保持部
２１１  開口部
２３１  接続端子
【図１】
2015185322.tif 000003
【図２】
2015185322.tif 000004
【図３】
2015185322.tif 000005
【図４】
2015185322.tif 000006
【図５】
2015185322.tif 000007
【図６】
2015185322.tif 000008
【図７】
2015185322.tif 000009